(57)【要約】【課題】子機と親機等で通話をしている間に、他の機器からのカメラの映像を親機モニタ等に出画させる。【解決手段】本発明のテレビドアホン装置における子機１ａは、カメラ１４にて撮像された映像データを映像パケット化し、子機通話部１２に入力された音声データを音声パケット化し親機５に送出するとともに、音声パケット化された親機通話部５６からの音声を音声データに処理するためのパケット処理部１９を備え、親機５は、子機からの映像パケット化された映像パケットを映像データに処理してモニタに出画表示し、子機からの音声パケットを音声データに処理して親機通話部から出力するとともに、親機通話部に入力された音声データを音声パケット化し子機に送出するためのパケット処理部６５と、親機が第１の子機からの映像パケット化された映像パケットの映像データをモニタに出画させながら第１の子機と通話中に、第２の子機からの映像パケット化された映像パケットの映像データに切換えてモニタに出画表示するためのＣＰＵ６３とを備える。【選択図】図２
2006211372.tif 000002
【特許請求の範囲】
【請求項１】
第１の子機（１ａ）及び第２の子機（１ｂ）のカメラ（１４、１４）にて撮像された映像を親機（５）のモニタ（５２）に出画させ、前記子機の通話部（１２）と前記親機の通話部（５６）との間で通話を行うテレビドアホン装置であって、
前記子機は、前記カメラにて撮像された映像データを映像パケット化し、前記子機の通話部に入力された音声データを音声パケット化し前記親機に送出するとともに、音声パケット化された前記親機の通話部からの音声を音声データに処理するためのパケット処理部（１９）を備え、
前記親機は、前記第１、第２の子機の少なくとも一方からの映像パケット化された映像パケットを映像データに処理して前記モニタに出画表示し、前記第１、第２の子機の少なくとも一方からの音声パケットを音声データに処理して前記親機の通話部から出力するとともに、前記親機の通話部に入力された音声データを音声パケット化し前記第１、第２の子機の少なくとも一方に送出するためのパケット処理部（６５）と、前記親機が前記第１の子機からの映像パケット化された映像パケットの映像データを前記モニタに出画させながら前記第１の子機と通話中に、前記第２の子機からの映像パケット化された映像パケットの映像データに切換えて前記モニタに出画表示するためのＣＰＵ（６３）とを備えることを特徴とするテレビドアホン装置。
【請求項２】
子機（１ａ）及び監視カメラ（３ａ）のカメラ（１４、３４）にて撮像された映像を親機（５）のモニタ（５２）に出画させ、前記子機及び前記監視カメラの通話部（１２、３２）と前記親機の通話部（５６）との間で通話を行うテレビドアホン装置であって、
前記子機及び前記監視カメラは、前記カメラにて撮像された映像データを映像パケット化し、前記子機の通話部に入力された音声データを音声パケット化し前記親機に送出するとともに、音声パケット化された前記親機の通話部からの音声を音声データに処理するためのパケット処理部（１９、３９）を備え、
前記親機は、前記子機及び監視カメラの少なくとも一方からの映像パケット化された映像パケットを映像データに処理して前記モニタに出画表示し、前記子機及び監視カメラの少なくとも一方からの音声パケットを音声データに処理して前記親機の通話部から出力するとともに、前記親機の通話部に入力された音声データを音声パケット化し前記子機及び監視カメラの少なくとも一方に送出するためのパケット処理部（６５）と、前記親機が前記子機からの映像パケット化された映像パケットの映像データを前記モニタに出画させながら前記子機と通話中に、前記監視カメラからの映像パケット化された映像パケットの映像データに切換えて前記モニタに出画表示するためのＣＰＵ（６３）とを備えることを特徴とするテレビドアホン装置。
【請求項３】
子機（１ａ）のカメラ（１４）にて撮像された映像を親機（５）及び増設親機（７ａ、７ｂ）のモニタ（５２、７２）に出画させ、前記子機の通話部（１２）と前記親機及び増設親機の通話部（５６、７６）との間で通話を行うテレビドアホン装置であって、
前記子機は、前記カメラにて撮像された映像データを映像パケット化し、前記子機の通話部に入力された音声データを音声パケット化し前記親機に送出するとともに、音声パケット化された前記親機の通話部からの音声を音声データに処理するためのパケット処理部（１９）を備え、
前記親機及び増設親機は、前記子機からの映像パケット化された映像パケットを映像データに処理して前記モニタに出画表示し、前記子機からの音声パケットを音声データに処理して前記親機及び増設親機の通話部から出力し、前記親機または前記増設親機の通話部に入力された音声データを音声パケット化し前記増設親機または前記親機の通話部に送出するとともに、前記親機及び増設親機の通話部に入力された音声データを音声パケット化し前記子機に送出するためのパケット処理部（６５、８５）と、前記親機が前記増設親機と通話中に、前記子機からの映像パケット化された映像パケットの映像データを前記モニタに出画表示するためのＣＰＵ（６３、８３）とを備えることを特徴とするテレビドアホン装置。
【請求項４】
子機（１ａ）及び監視カメラ（１２）のカメラ（１４、３４）にて撮像された映像を親機（５）及び増設親機（７ａ、７ｂ）のモニタ（５２、７２）に出画させ、前記子機の通話部（１２）と前記親機及び前記増設親機の通話部（５６、７６）との間で通話を行うテレビドアホン装置であって、
前記子機及び前記監視カメラは、前記カメラにて撮像された映像データを映像パケット化し、前記子機の通話部に入力された音声データを音声パケット化し前記親機及び増設親機に送出するとともに、音声パケット化された前記親機及び増設親機の通話部からの音声を音声データに処理するためのパケット処理部（１９、３９）を備え、
前記親機及び増設親機は、前記子機及び監視カメラの少なくとも一方からの映像パケット化された映像パケットを映像データに処理して前記モニタに出画表示し、前記子機及び監視カメラの少なくとも一方からの音声パケットを音声データに処理して前記親機及び前記増設親機の通話部から出力し、前記親機または増設親機の通話部に入力された音声データを音声パケット化し前記増設親機または前記親機の通話部に送出するとともに、前記親機の通話部に入力された音声データを音声パケット化し前記子機及び監視カメラの少なくとも一方に送出するためのパケット処理部（６５、８５）と、前記親機が前記増設親機と通話中に、前記監視カメラからの映像パケット化された映像パケットの映像データを前記モニタに出画表示するためのＣＰＵ（６３、８３）とを備えることを特徴とするテレビドアホン装置。
【発明の詳細な説明】
【技術分野】
【０００１】
本発明はテレビドアホン装置に係り、特に子機と親機等で通話をしている間に、監視カメラ等の他の機器からのカメラの映像をモニタに出画させることができるテレビドアホン装置に関する。
【背景技術】
【０００２】
従来から、この種のテレビドアホン装置として、玄関に設置される子機にて来訪者が呼出ボタンを操作することにより室内に設置される親機を呼び出し、子機のカメラにて撮影された来訪者の映像を親機のモニタに出画表示するとともに、子機の子機マイク、子機スピーカとのハンズフリー通話を行なうための通話ボタンおよびハンドセット通話を行なうためのハンドセットの少なくとも一つとで来訪者と通話を行なうテレビドアホン装置が知られている（例えば、特許文献１参照）。
【０００３】
ここで、当該子機は、親機のパンチルト操作ボタンの操作に基づく信号でカメラおよび子機マイクのパンチルト動作を行なうためのパンチルト機構を備えている。
【０００４】
このような構成のテレビドアホン装置によれば、親機のパンチルト操作ボタンを操作すると、子機のカメラのパンチルト動作に連動して子機マイクのみ、または子機マイク、子機スピーカ双方がパンチルト動作され、これにより、カメラの撮影範囲が可動となり親機のモニタに出画表示される来訪者の映像を視認性の高い映像として出画表示させることができるとともに、子機マイクの集音範囲、または子機マイクの集音範囲、子機スピーカの放音範囲双方が可動となり、子機が設置される玄関先の周囲近傍で雑音が発生している場合でも良好な通話品質を確保することができる。
【０００５】
【特許文献１】特開２００３−２１９４０９号公報（段落番号「００１４」〜「００１６」、図１）
【発明の開示】
【発明が解決しようとする課題】
【０００６】
しかしながら、このような構成のテレビドアホンにおいては、音声と映像とが独立していないため、親機や増設親機のモニタには通話している特定の機器（例えば子機）のカメラの映像が出画され、通話している間は、他の機器（例えば監視カメラ）のカメラの映像をモニタに出画させることができないという難点があった。また、親機と増設親機で室内間通話をしている間は、子機や監視カメラの映像をモニタに出画させることができないという難点があった。
【課題を解決するための手段】
【０００７】
本発明は上述の難点を解消するためになされたもので、本発明の第１の態様であるテレビドアホン装置は、第１の子機及び第２の子機のカメラにて撮像された映像を親機のモニタに出画させ、子機の通話部と親機の通話部との間で通話を行うテレビドアホン装置であって、子機は、カメラにて撮像された映像データを映像パケット化し、子機の通話部に入力された音声データを音声パケット化し親機に送出するとともに、音声パケット化された親機の通話部からの音声を音声データに処理するためのパケット処理部を備え、親機は、第１、第２の子機の少なくとも一方からの映像パケット化された映像パケットを映像データに処理してモニタに出画表示するとともに、第１、第２の子機の少なくとも一方からの音声パケットを音声データに処理して親機の通話部から出力するとともに、親機の通話部に入力された音声データを音声パケット化し第１、第２の子機の少なくとも一方に送出するためのパケット処理部と、親機が第１の子機からの映像パケット化された映像パケットの映像データをモニタに出画させながら第１の子機と通話中に、第２の子機からの映像パケット化された映像パケットの映像データに切換えてモニタに出画表示するためのＣＰＵとを備えるものである。
【０００８】
本発明の第２の態様であるテレビドアホン装置は、子機及び監視カメラのカメラにて撮像された映像を親機のモニタに出画させ、子機及び監視カメラの通話部と親機の通話部との間で通話を行うテレビドアホン装置であって、子機及び監視カメラは、カメラにて撮像された映像データを映像パケット化し、子機の通話部に入力された音声データを音声パケット化し親機に送出するとともに、音声パケット化された親機の通話部からの音声を音声データに処理するためのパケット処理部を備え、親機は、子機及び監視カメラの少なくとも一方からの映像パケット化された映像パケットを映像データに処理してモニタに出画表示するとともに、子機及び監視カメラの少なくとも一方からの音声パケットを音声データに処理して親機の通話部から出力するとともに、親機の通話部に入力された音声データを音声パケット化し子機及び監視カメラの少なくとも一方に送出するためのパケット処理部と、親機が子機からの映像パケット化された映像パケットの映像データをモニタに出画させながら子機と通話中に、監視カメラからの映像パケット化された映像パケットの映像データに切換えてモニタに出画表示するためのＣＰＵとを備えるものである。
【０００９】
本発明の第３の態様であるテレビドアホン装置は、子機のカメラにて撮像された映像を親機及び増設親機のモニタに出画させ、子機の通話部と親機及び増設親機の通話部との間で通話を行うテレビドアホン装置であって、子機は、カメラにて撮像された映像データを映像パケット化し、子機の通話部に入力された音声データを音声パケット化し親機に送出するとともに、音声パケット化された親機の通話部からの音声を音声データに処理するためのパケット処理部を備え、親機及び増設親機は、子機からの映像パケット化された映像パケットを映像データに処理してモニタに出画表示し、子機からの音声パケットを音声データに処理して親機及び増設親機の通話部から出力し、親機または増設親機の通話部に入力された音声データを音声パケット化し増設親機または親機の通話部に送出するとともに、親機及び増設親機の通話部に入力された音声データを音声パケット化し子機に送出するためのパケット処理部と、親機が増設親機と通話中に、子機からの映像パケット化された映像パケットの映像データをモニタに出画表示するためのＣＰＵとを備えるものである。
【００１０】
本発明の第４の態様であるテレビドアホン装置は、子機及び監視カメラのカメラにて撮像された映像を親機及び増設親機のモニタに出画させ、子機の通話部と親機及び増設親機の通話部との間で通話を行うテレビドアホン装置であって、子機及び監視カメラは、カメラにて撮像された映像データを映像パケット化し、子機の通話部に入力された音声データを音声パケット化し親機及び増設親機に送出するとともに、音声パケット化された親機及び増設親機の通話部からの音声を音声データに処理するためのパケット処理部を備え、親機及び増設親機は、子機及び監視カメラの少なくとも一方からの映像パケット化された映像パケットを映像データに処理してモニタに出画表示し、子機及び監視カメラの少なくとも一方からの音声パケットを音声データに処理して親機および増設親機の通話部から出力し、親機または増設親機の通話部に入力された音声データを音声パケット化し増設親機または親機の通話部に送出するとともに、親機の通話部に入力された音声データを音声パケット化し子機及び監視カメラの少なくとも一方に送出するためのパケット処理部と、親機が増設親機と通話中に、監視カメラからの映像パケット化された映像パケットの映像データをモニタに出画表示するためのＣＰＵとを備えるものである。
【発明の効果】
【００１１】
以上の説明から明らかなように、本発明の第１の態様乃至第４の態様のテレビドアホンによれば、子機や監視カメラ等の機器で撮像された映像データを映像パケット化し、また、子機や監視カメラ等の機器から入力された音声データを音声パケット化して親機や増設親機に送出することができることから、特定の機器（子機等）からの映像パケットの映像データを親機や増設親機のモニタに出画させながら、特定の機器（子機等）と通話中に、他の機器（監視カメラ等）からの映像パケットの映像データに切換えて出画表示させることができる。
【発明を実施するための最良の形態】
【００１２】
以下、本発明のテレビドアホン装置を適用した好ましい実施の形態例について、図面を参照して詳述する。
［実施例１］
図１は、本発明の第１の実施例におけるテレビドアホン装置のシステム構成図、図２は同実施例におけるテレビドアホン装置のブロック図である。
【００１３】
図１において、本発明のテレビドアホン装置は、表玄関等に設置される第１の子機１ａと、裏玄関等に設置される第２の子機１ｂと、表玄関付近や窓等に設置される第１の監視カメラ３ａと、裏玄関付近や窓等に設置される第２の監視カメラ３ｂと、居室内に設置される親機５および第１、第２の増設親機７ａ、７ｂとを備えている。ここで、親機５は、第１の伝送路Ｌ１を介して第１の子機１ａに、第２の伝送路Ｌ２を介して第２の子機１ｂに、第３の伝送路Ｌ３を介して第１の増設親機７ａにそれぞれ接続され、第１の増設親機７ａには第４の伝送路Ｌ４を介して第２の増設親機７ｂが接続されている。また、第２の増設親機７ｂは、第５の伝送路Ｌ５を介して第２の監視カメラ３ｂに接続され、第２の監視カメラ３ｂには第６の伝送路Ｌ６を介して第１の監視カメラ３ａが接続されている。
【００１４】
第１、第２の子機１ａ、１ｂはそれぞれ同様の構成とされ、それぞれ、図２（ａ）に示すように、呼出ボタン１１と、親機５、第１、第２の増設親機７ａ、７ｂと通話をするための子機マイク１２ａおよび子機スピーカ１２ｂから成る通話部（以下「子機通話部」という。）１２と、来訪者を撮像するカメラ（以下「子機カメラ」という。）１４と、親機５、第１、第２の増設親機７ａ、７ｂの音声を増幅する子機スピーカアンプ１５と、子機マイク１２ａの音声を増幅する子機マイクアンプ１６と、子機カメラ１４の映像信号を圧縮映像データに変換する子機圧縮回路１７と、親機５から送信される音声データをアナログ音声信号に変換し、また子機マイクアンプ１６により増幅された子機マイク１２ａからのアナログ音声信号を音声データに変換する子機コーデック１８と、他機器から送信されたパケットで、送信先アドレスが自アドレスのパケットを制御データと音声データに分離し、またパケットを送信する際は送信先のアドレスを付加し、呼出信号およびその他の制御データと、子機圧縮回路１７から出力される圧縮映像データと、子機コーデック１８から出力される音声データを合成しパケット化するパケット処理部（以下「子機パケット処理部」という。）１９と、自アドレス以外の受信パケットを後述する他の送受信回路２１ａ、２１ｂから送信する子機ブリッジ２０と、他機器と接続し、パケットの交換をする第１、第２の子機送受信回路２１ａ、２１ｂとを備えている。ここで、子機パケット処理部１９は、呼出ボタン１１、子機圧縮回路１７、子機コーデック１８および子機ブリッジ２０に接続され、子機圧縮回路１７には子機カメラ１４が、子機ブリッジ２０には第１、第２の子機送受信回路２１ａ、２１ｂがそれぞれ接続されている。また、子機コーデック１８は、子機スピーカアンプ１５および子機マイクアンプ１６に接続され、子機スピーカアンプ１５には子機スピーカ１２ｂが、子機マイクアンプ１６には子機マイク１２ａがそれぞれ接続されている。
【００１５】
第１、第２の監視カメラ３ａ、３ｂは、それぞれ同様の構成とされ、それぞれ、図２（ｂ）に示すように、人体感知センサ３１と、監視カメラが設置された周囲近傍の音を聴取する監視マイク３２ａおよび居住者からの威嚇音等を放音する監視スピーカ３２ｂから成る通話部（以下「監視通話部」という。）３２と、不審者や監視カメラが設置された周囲近傍を撮像するカメラ３４と、親機５、第１、第２の増設親機７ａ、７ｂの音声を増幅する監視スピーカアンプ３５と、監視マイク３２ａの音声を増幅する監視マイクアンプ３６と、カメラ３４の映像信号を圧縮映像データに変換する監視圧縮回路３７と、親機５から送信される音声データをアナログ音声信号に変換し、また監視マイクアンプ３６により増幅された監視マイク３２ａからのアナログ音声信号を音声データに変換する監視コーデック３８と、他機器から送信されたパケットで、送信先アドレスが自アドレスのパケットを制御データと音声データに分離し、またパケットを送信する際は送信先のアドレスを付加し、人体感知センサ３１の感知信号およびその他の制御データと、監視圧縮回路３７から出力される圧縮映像データと、監視コーデック３８から出力される音声データを合成しパケット化するパケット処理部（以下「監視パケット処理部」という。）３９と、自アドレス以外の受信パケットを後述する他の監視送受信回路４１ａ〜４１ｃから送信する監視ブリッジ４０と、他機器と接続し、パケットの交換をする第１〜第３の監視送受信回路４１ａ〜４１ｃとを備えている。ここで、監視パケット処理部３９は、人体感知センサ３１、監視圧縮回路３７、監視コーデック３８および監視ブリッジ４０に接続され、監視圧縮回路３７にはカメラ３４が、監視ブリッジ４０には第１〜第３の監視送受信回路４１ａ〜４１ｃが接続されている。また、監視コーデック３８は、監視スピーカアンプ３５および監視マイクアンプ３６に接続され、監視スピーカアンプ３５には監視スピーカ３２ｂが、監視マイクアンプ３６には監視マイク３２ａがそれぞれ接続されている。さらに、第１の監視カメラ３ａの第１の監視送受信回路４１ａは第２の監視カメラ３ｂの第１の監視送受信回路４１ａに接続されている。
【００１６】
親機５は、図２（ｃ）に示すように、他機器と接続し、パケットデータの交換をする第１〜第６の親機送受信回路５１ａ〜５１ｆと、第１、第２の子機１ａ、１ｂや第１、第２の監視カメラ３ａ、３ｂからの画像を出画する親機モニタ５２と、第１、第２の子機１ａ、１ｂの子機カメラ（以下「第１、第２の子機カメラ」という。）１４、１４や第１、第２の監視カメラ３ａ、３ｂのカメラ（以下「第１、第２のカメラ」という。）３４、３４の画像をモニタするための親機モニタボタン５３と、第１、第２の子機１ａ、１ｂ、第１、第２の監視カメラ３ａ、３ｂおよび第１、第２の増設親機７ａ、７ｂと通話するための親機通話ボタン５４と、第１、第２の増設親機７ａ、７ｂを呼び出すための親機室内呼出ボタン５５と、親機マイク５６ａおよび親機スピーカ５６ｂから成る通話部（以下「親機通話部」という。）５６と、第１、第２の子機１ａ、１ｂ、第１、第２の監視カメラ３ａ、３ｂおよび第１、第２の増設親機７ａ、７ｂの音声を増幅する親機スピーカアンプ５８と、親機マイク５６ａの音声を増幅する親機マイクアンプ５９と、第１、第２の子機１ａ、１ｂ、第１、第２の監視カメラ３ａ、３ｂおよび第１、第２の増設親機７ａ、７ｂから送信される音声データをアナログ音声信号に変換し、また親機マイクアンプ５９により増幅された親機マイク５６ａからのアナログ音声信号を音声データに変換する親機コーデック６０と、圧縮映像データ化された第１、第２の子機カメラ１４、１４および第１、第２のカメラ３４、３４の映像信号を伸張する親機伸張回路６１と、親機伸張回路６１により伸張された映像データを格納するための親機メモリ６２と、親機の内部を制御する親機ＣＰＵ６３と、親機メモリ６２に格納された映像データを親機ＣＰＵ６３の指示により親機モニタ５２に出画する親機モニタ制御回路６４と、他機器から送信されたパケットで、送信先アドレスが自アドレスのパケットデータを制御データと圧縮映像データと音声データに分離し、またパケットを送信する際は送信先のアドレスを付加し、親機ＣＰＵ６３から出力される制御データと親機コーデック６０から出力される音声データとを合成しパケット化するパケット処理部（以下「親機パケット処理部」という。）６５と、自アドレス以外の受信パケットを他の親機送受信回路５１ａ〜５１ｆから送信する親機ブリッジ６６と、親機送受信回路５１ａ〜５１ｆ間でパケットのフォワーディングをする親機ＨＵＢスイッチ６７とを備えている。ここで、親機ＣＰＵ６３は、親機モニタボタン５３、親機通話ボタン５４、親機室内呼出ボタン５５、親機コーデック６０、親機伸張回路６１、親機メモリ６２、親機モニタ制御回路６４および親機パケット処理部６５に接続され、親機パケット処理部６５には親機コーデック６０、親機伸張回路６１および親機ブリッジ６６が接続され、親機伸張回路６１には親機モニタ制御回路６４を介して親機モニタ５２が接続されている。また、親機コーデック６０は、親機スピーカアンプ５８および親機マイクアンプ５９に接続され、親機スピーカアンプ５８には親機スピーカ５６ｂが、親機マイクアンプ５９には親機マイク５６ａがそれぞれ接続されている。さらに、親機ブリッジ６６は親機ＨＵＢスイッチ６７を介して第１〜第６の親機送受信回路５１ａ〜５１ｆに接続され、第１の親機送受信回路５１ａには第１の伝送路Ｌ１を介して第１の子機１ａの第１の子機送受信回路２１ａが、第２の親機送受信回路５１ｂには第２の伝送路Ｌ２を介して第２の子機１ｂの第１の子機送受信回路２１ａがそれぞれ接続されている。
【００１７】
第１、第２の増設親機７ａ、７ｂは、それぞれ同様の構成とされ、それぞれ図２（ｄ）に示すように、他機器と接続し、パケットデータの交換をする第１〜第３の増設親機送受信回路７１ａ〜７１ｃと、第１、第２の子機１ａ、１ｂや第１、第２の監視カメラ３ａ、３ｂからの画像を出画する増設親機モニタ７２と、第１、第２の子機カメラ１４、１４や第１、第２のカメラ３４、３４の画像をモニタするための増設親機モニタボタン７３と、第１、第２の子機１ａ、１ｂ、第１、第２の監視カメラ３ａ、３ｂ、親機５および他の増設親機（第１の増設親機７ａまたは第２の増設親機７ｂ）と通話するための増設親機通話ボタン７４と、親機５や他の増設親機（第１の増設親機７ａまたは第２の増設親機７ｂ）を呼び出すための増設親機室内呼出ボタン７５と、増増設親機マイク７６ａおよび増設親機マイク７６ｂから成る通話部（以下「増設親機通話部」という。）７６と、第１、第２の子機１ａ、１ｂ、第１、第２の監視カメラ３ａ、３ｂ、親機５および他の増設親機（第１の増設親機７ａまたは第２の増設親機７ｂ）の音声を増幅する増設親機スピーカアンプ７８と、増設親機マイク７６ａの音声を増幅する増設親機マイクアンプ７９と、第１、第２の子機１ａ、１ｂ、第１、第２の監視カメラ３ａ、３ｂ、親機５および他の増設親機（第１の増設親機７ａまたは第２の増設親機７ｂ）から送信される音声データをアナログ音声信号に変換し、また増設親機マイクアンプ７９により増幅された増設親機マイク７６ａからのアナログ音声信号を音声データに変換する増設親機コーデック８０と、圧縮映像データ化された第１、第２の子機カメラ１４、１４や第１、第２のカメラ３４、３４の映像信号を伸張する増設親機伸張回路８１と、増設親機伸張回路８１により伸張された映像データを格納するための増設親機メモリ８２と、第１、第２の増設親機７ａ、７ｂの内部を制御する増設親機ＣＰＵ８３と、増設親機メモリ８２に格納された映像データを増設親機ＣＰＵ８３の指示により増設親機モニタ７２に出画する増設親機モニタ制御回路８４と、他機器から送信されたパケットで、送信先アドレスが自局宛てのパケットデータを制御データと圧縮映像データと音声データに分離し、またパケットを送信する際は送信先のアドレスを付加し、増設親機ＣＰＵ８３から出力される制御データと増設親機コーデック８０から出力される音声データとを合成しパケットデータ化するパケット処理部（以下「増設親機パケット処理部」という。）８５と、自アドレス以外の受信パケットを他の増設親機送受信回路７１ａ〜７ｃから送信する増設親機ブリッジ８６とを備えている。ここで、増設親機ＣＰＵ８３は、増設親機モニタボタン７３、増設親機通話ボタン７４、増設親機室内呼出ボタン７５、増設親機コーデック８０、増設親機伸張回路８１、増設親機メモリ８２、親機モニタ制御回路８４および増設親機パケット処理部８５に接続され、増設親機パケット処理部８５には増設親機コーデック８０、増設親機伸張回路８１および増設親機ブリッジ８６が接続され、増設親機伸張回路８１には増設親機モニタ制御回路８４を介して増設親機モニタ７２が接続されている。また、増設親機コーデック８０は、増設親機スピーカアンプ７８および増設親機マイクアンプ７９に接続され、増設親機スピーカアンプ７８には増設親機スピーカ７６ｂが、増設親機マイクアンプ７９には増設親機マイク７６ａがそれぞれ接続されている。さらに、増設親機ブリッジ８６は第１〜第３の増設親機送受信回路７１ａ〜７１ｃに接続され、第１の増設親機７ａの第１の増設親機送受信回路７１ａには第３の伝送路Ｌ３を介して親機５の第３の親機送受信回路５１ｃが、第１の増設親機７ａの第２の増設親機送受信回路７１ｂには第４の伝送路Ｌ４を介して第２の増設親機７ｂの第１の増設親機送受信回路７１ａが、第２の増設親機７ｂの第２の増設親機送受信回路７１ｂには第５の伝送路Ｌ５を介して第２の監視カメラ３ｂの第２の監視カメラ送受信回路４１ｂがそれぞれ接続されている。
【００１８】
次に、このように構成された本発明のテレビドアホン装置の動作について説明する。
［動作例１］
最初に、来訪者が第１の子機１ａの呼出ボタン１１を押下して親機５を呼び出した場合の動作について説明する。なお、呼出ボタン１１が押下されると、第１、第２の増設親機７ａ、７ｂは親機５と同様の動作をすることから、ここでは第１、第２の増設親機７ａ、７ｂの動作の説明を省略する。
【００１９】
先ず、来訪者が第１の子機１ａの呼出ボタン１１を押下すると、デジタル化された呼出信号（以下「第１の呼出信号」という。）が第１の子機１ａの子機パケット処理部（以下「第１の子機パケット処理部」という。）１９へ送信され、当該第１の子機パケット処理部１９において、第１の子機１ａのアドレス（以下「第１の子機アドレス」という。）および親機５のアドレス（以下「親機アドレス」という。）が付与されるとともに、第１の呼出信号からパケット（以下「第１の子機呼出パケット」という。）が生成される。かかる第１の子機呼出パケットは、第１の子機１ａのブリッジ（以下「第１の子機ブリッジ」という。）２０、第１の子機１ａの第１の子機送受信回路２１ａ、第１の伝送路Ｌ１、第１の親機送受信回路５１ａ、親機ＨＵＢスイッチ６７および親機ブリッジ６６介して親機パケット処理部６５へ送出され、当該親機パケット処理部６５において第１の子機呼出パケットから第１の呼出信号が分離されて親機ＣＰＵ６３へ送出される。
【００２０】
かかる第１の呼出信号が親機ＣＰＵ６３で検出されると、親機ＣＰＵ６３において呼出音が作成され、親機コーデック６０および親機スピーカアンプ５８を介して親機スピーカ５６ｂへ送信される。これにより、親機スピーカ５６ｂから呼出音が鳴動する。
【００２１】
ここで、来訪者の呼び出しに応答するため、居住者が親機通話ボタン５４を押下すると、第１の伝送路Ｌ１を介して第１の子機１ａの子機通話部（以下「第１の子機通話部」という。）１２と、親機通話部５６間に通話路が形成され、これにより、居住者は次のようにして来訪者と通話することができる。
【００２２】
すなわち、第１の子機１ａの子機マイク（以下「第１の子機マイク」という。）１２ａから入力された来訪者のアナログ音声信号は、子機マイクアンプ（以下「第１の子機マイクアンプ」という。）１６で増幅され第１の子機１ａの子機コーデック（以下「第１の子機コーデック」という。）１８において音声データ（以下「第１の子機音声データ」という。）に変換されて第１の子機パケット処理部１９へ送信される。かかる第１の子機音声データは第１の子機パケット処理部１９において、前述の第１の呼出信号と同様に、第１の子機アドレスおよび親機アドレスが付与されるとともに第１の子機音声データからパケット（以下「第１の子機音声パケット」という。）が生成される。かかる第１の子機音声パケットは、第１の子機呼出パケットと同様の経路を経由して親機パケット処理部６５へ送信され、当該親機パケット処理部６５において第１の子機呼出パケットから第１の子機音声データが分離されて親機コーデック６０へ送信される。かかる第１の子機音声データは親機コーデック６０においてアナログ音声信号に変換され、親機スピーカアンプ５８で増幅されて親機スピーカ５６ｂへ送信される。これにより、来訪者の音声が親機通話部５６から出力される。
【００２３】
次に、親機マイク５６ａから入力された居住者のアナログ音声信号は、親機マイクアンプ５９により増幅され、親機コーデック６０において音声データ（以下「親機音声データ」という。）に変換されて親機パケット処理部６５へ送信される。かかる親機音声データは親機パケット処理部６５において、親機音声データからパケット（以下「親機音声パケット」という。）が生成される。かかる親機音声パケットは、第１の子機音声パケットと逆の経路を経由して第１の子機パケット処理部１９へ送信され、当該子機パケット処理部１９において親機音声パケットから親機音声データが分離されて第１の子機コーデック１８へ送信される。かかる親機音声データは第１の子機コーデック１８においてアナログ音声信号に変換され、第１の子機１ａの子機スピーカアンプ（以下「第１の子機スピーカアンプ」という。）１５で増幅されて第１の子機１ａの子機スピーカ（以下「第１の子機スピーカ」という。）１２ｂへ送信される。これにより、居住者の音声が第１の子機通話部１２から出力される。
【００２４】
一方、第１の子機カメラ１４で撮像された来訪者の映像信号（以下「第１の映像信号」という。）は、第１の子機１ａの子機圧縮回路（以下「第１の子機圧縮回路」という。）１７において圧縮映像データ（以下「第１の子機圧縮映像データ」という。）に変換されて第１の子機パケット処理部１９へ送信される。かかる第１の子機圧縮映像データは第１の子機パケット処理部１９において、前述の第１の呼出信号と同様に、第１の子機アドレスおよび親機アドレスが付与されるとともに第１の子機圧縮映像データからパケット（以下「第１の子機映像パケット」という。）が生成される。かかる第１の子機映像パケットは、第１の子機呼出パケットと同様の経路を経由して親機パケット処理部６５へ送信され、当該親機パケット処理部６５において第１の子機映像パケットから第１の子機圧縮映像データが分離されて親機伸張回路６１へ送信される。かかる第１の子機圧縮映像データは親機伸張回路６１において伸張され、第１の映像信号として親機メモリ６２に格納される。
【００２５】
次に、居住者が親機モニタボタン５３を押下すると、モニタ信号（以下「第１のモニタ信号」という。）が親機ＣＰＵ６３へ送信され、かかる第１のモニタ信号が親機ＣＰＵ６３で検出されると、親機モニタ制御回路６４が制御され、これにより、親機モニタ５２に来訪者の映像が出画される。
【００２６】
居住者が再度、親機モニタボタン５３を押下すると、モニタ信号（以下「第２のモニタ信号」という。）が親機ＣＰＵ６３へ送信され、かかる第２のモニタ信号が親機ＣＰＵ６３で検出されると、親機ＣＰＵ６３の制御により、親機５から第２の伝送路Ｌ２を介して第２の子機カメラ１４を起動するための電源が供給される。
【００２７】
これにより、第２の子機カメラ１４で第２の子機１ｂが設置された玄関付近の映像が撮像され、撮像された映像信号（以下「第２の映像信号」という。）が、第２の子機１ｂの子機圧縮回路（以下「第２の子機圧縮回路」という。）１７において圧縮映像データ（以下「第２の子機圧縮映像データ」という。）に変換されて第２の子機１ｂの子機パケット処理部（以下「第２の子機パケット処理部」という。）１９へ送信される。かかる第２の子機圧縮映像データは第２の子機パケット処理部１９において、第２の子機１ｂのアドレス（以下「第２の子機アドレス」という。）および親機アドレスが付与されるとともに第２の子機圧縮映像データからパケット（以下「第２の子機映像パケット」という。）が生成される。かかる第２の子機映像パケットは、第２の子機１ｂのブリッジ（以下「第２の子機ブリッジ」という。）２０、第２の子機１ｂの第１の子機送受信回路２１ａ、第２の伝送路Ｌ２、第２の親機送受信回路５１ｂ、親機ＨＵＢスイッチ６７および親機ブリッジ６６介して親機パケット処理部６５へ送出され、当該親機パケット処理部６５において第２の子機映像パケットから第２の子機圧縮映像データが分離されて親機伸張回路６１へ送信される。かかる第２の子機圧縮映像データは親機伸張回路６１において伸張され、第２の映像信号として親機メモリ６２に格納される。かかる第２の映像信号が親機メモリ６２に格納されると、親機モニタ制御回路６４の制御により親機モニタ５２の出画映像が切り換えられ、当該親機モニタ５２に第２の子機１ａが設置された付近の映像が出画される。
【００２８】
以下、順次親機モニタボタン５３を繰り返して押下すると、前述と同様にして、親機５から第１、第２の監視カメラ３ａ、３ｂのカメラ（以下「第１、第２のカメラ」という。）３ａ、３ｂを起動するための電源が供給され、前述と同様して、第１、第２のカメラ３ａ、３ｂで撮像された映像を映像信号としてそれぞれ親機メモリ６２に格納することができることから、居住者は親機モニタボタン５３の繰り返しの押下操作により第１、第２の監視カメラ３ａ、３ｂが設置された付近の映像を親機モニタ５２に出画させることができる。
【００２９】
以上のように、本発明のテレビドアホン装置によれば、親機５が第１の子機１ａからの映像データを親機モニタ５２に出画させながら第１の子機１ａと通話中に、第２の子機１ｂや第１、第２の監視カメラ３ａ、３ｂからの映像データを親機モニタ５２に出画させることができる。
【００３０】
なお、前述の実施例においては、親機５と第１の子機１ａとの通話中に、第２の子機１ｂや第１、第２の監視カメラ３ａ、３ｂからの映像データを親機モニタ５２に出画させる場合について説明しているが、親機５と第２の子機１ｂとの通話中に、第１の子機１ａや第１、第２の監視カメラ３ａ、３ｂからの映像データを親機モニタ５２に出画させることができ、また、第１の増設親機７ａ若しくは第２の増設親機７ｂと第１の子機１ａ（若しくは第２の子機１ｂ）との通話中に、第２の子機１ｂ（若しくは第１の子機１ａ）、第１、第２の監視カメラ３ａ、３ｂからの映像データを第１の増設親機７ａ若しくは第２の増設親機７ｂの増設親機モニタ７２に出画させることができる。
［動作例２］
次に、不審者の侵入により、第１の監視カメラ３ａの人体感知センサ（以下「第１の人体感知センサ」という。）３１が反応して親機５を呼び出した場合の動作について説明する。
【００３１】
先ず、不審者の侵入により、第１の人体感知センサ３１が反応すると、デジタル化された警報信号（以下「第１の警報信号」という。）が第１の監視カメラ３ａの監視パケット処理部（以下「第１の監視パケット処理部」という。）３９へ送信され、当該第１の監視パケット処理部３９において、第１の監視カメラ３ａのアドレス（以下「第１の監視アドレス」という。）および親機アドレスが付与されるとともに、第１の警報信号からパケット（以下「第１の警報パケット」という。）が生成される。かかる第１の警報パケットは、第１の監視カメラ３ａの監視ブリッジ（以下「第１の監視ブリッジ」という。）４０、第１の監視カメラ３ａの第１の監視送受信回路４１ａ、第６の伝送路Ｌ６、第２の監視カメラ３ｂの第１の監視送受信回路４１ａ、第２の監視カメラ３ｂの監視ブリッジ（以下「第２の監視ブリッジ」という。）４０、第２の監視カメラ３ｂの第２の監視送受信回路４１ｂ、第５の伝送路Ｌ５、第２の増設親機７ｂの第２の増設親機送受信回路７１ｂ、第２の増設親機７ｂの増設親機ブリッジ（以下「第２の増設親機ブリッジ」という。）８６、第２の増設親機７ｂの第１の増設親機送受信回路７１ａ、第４の伝送路Ｌ４、
第１の増設親機７ａの第２の増設親機送受信回路７１ｂ、第１の増設親機７ａの増設親機ブリッジ（以下「第１の増設親機ブリッジ」という。）８６、第１の増設親機７ａの第１の増設親機送受信回路７１ａ、第３の伝送路Ｌ３、親機５の第３の親機送受信回路５１ｃ、親機ＨＵＢスイッチ６７および親機ブリッジ６６を介して親機パケット処理部６５へ送信される。
【００３２】
ここで、第１の警報パケットには送信先アドレスとして親機アドレスが付与され、また、第２の監視カメラ３ｂに第２の監視ブリッジ４０が、第１、第２の増設親機７ａ７ｂに第１、第２の増設親機ブリッジ８６、８６が搭載されていることから、第２の監視カメラ３ｂの監視パケット処理部（以下「第２の監視パケット処理部」という。）３９、第１、第２の増設親機７ａ７ｂの増設親機パケット処理部（以下「第１、第２の増設親機パケット処理部」という。）８５、８５においては、第１の警報パケットから第１の警報信号が分離されず、そのまま親機パケット処理部６５へ送信され、当該親機パケット処理部６５において第１の警報パケットから第１の警報信号が分離されて親機ＣＰＵ６３へ送出される。
【００３３】
かかる第１の警報信号が親機ＣＰＵ６３で検出されると、親機ＣＰＵ６３において警報音が作成され、親機コーデック６０および親機スピーカアンプ５８を介して親機スピーカ５６ｂへ送信される。これにより、親機スピーカ５６ｂから警報音が放音される。
【００３４】
一方、第１のカメラ３４で撮像された映像信号（以下「第１の監視映像信号」という。）は、第１の監視カメラ３ａの監視圧縮回路（以下「第１の監視圧縮回路」という。）３７において圧縮映像データ（以下「第１の監視圧縮映像データ」という。）に変換されて第１の監視カメラ３ａの監視パケット処理部（以下「第１の監視パケット処理部」という。）３９へ送信される。かかる第１の監視圧縮映像データは第１の監視パケット処理部３９において、前述の第１の警報信号と同様に、第１の監視アドレスおよび親機アドレスが付与されるとともに第１の監視圧縮映像データからパケット（以下「第１の監視映像パケット」という。）が生成される。かかる第１の監視映像パケットは、第１の警報パケットと同様の経路を経由して親機パケット処理部６５へ送信され、当該親機パケット処理部６５において第１の監視映像パケットから第１の監視圧縮映像データが分離されて親機伸張回路６１へ送信される。かかる第１の監視圧縮映像データは親機伸張回路６１において伸張され、第１の監視映像信号として親機メモリ６２に格納される。
【００３５】
ここで、居住者が親機モニタボタン５３を押下すると、モニタ信号（以下「第３のモニタ信号」という。）が親機ＣＰＵ６３へ送信され、かかる第３のモニタ信号が親機ＣＰＵ６３で検出されると、親機モニタ制御回路６４が制御され、これにより、親機モニタ５２に不審者の映像が出画される。
【００３６】
次いで、居住者が親機通話ボタン５４を押下すると、第１の監視カメラ３ａの監視通話部（以下「第１の監視通話部」という。）３２と、親機通話部５６間に通話路が形成され、これにより、居住者は次のようにして、不審者に対して威嚇音を放音することができる。
【００３７】
すなわち、親機マイク５６ａから入力される居住者の威嚇音は、前述の親機マイク５６ａから入力される音声と同様に、親機マイクアンプ５９により増幅され、親機コーデック６０において音声データ（以下「威嚇音声データ」という。）に変換されて親機パケット処理部６５へ送信される。かかる威嚇音声データは親機パケット処理部６５において、威嚇音声データからパケット（以下「威嚇音声パケット」という。）が生成される。かかる威嚇音声パケットは、第１の警報パケットと逆の経路を経由して第１の監視パケット処理部３９へ送信され、当該監視パケット処理部３９において威嚇音声パケットから威嚇音声データが分離されて第１の監視コーデック３８へ送信される。かかる威嚇音声データは第１の監視コーデック３８においてアナログ音声信号に変換され、第１の監視カメラ３ａの監視スピーカアンプ（以下「第１の監視スピーカアンプ」という。）３５で増幅されて第１の監視カメラ３ａの監視スピーカ（以下「第１の監視スピーカ」という。）３２ｂへ送信される。これにより、不審者に対する威嚇音が第１の監視通話部３２から放音される。
【００３８】
居住者が再度、親機モニタボタン５３を押下すると、モニタ信号（以下「第４のモニタ信号」という。）が親機ＣＰＵ６３へ送信され、かかる第４のモニタ信号が親機ＣＰＵ６３で検出されると、親機ＣＰＵ６３の制御により、親機５から第３の伝送路Ｌ３、第１の増設親機７ａ、第４の伝送路Ｌ４、第２の増設親機７ｂおよび第５の伝送路Ｌ５を経由して第２のカメラ３４を起動するための電源が供給される。
【００３９】
これにより、第２のカメラ３４で第２の監視カメラ３ｂが設置された玄関付近の映像が撮像され、撮像された映像信号（以下「第２の監視映像信号」という。）が、第２の監視カメラ３ｂの監視圧縮回路（以下「第２の監視圧縮回路」という。）３７において圧縮映像データ（以下「第２の監視圧縮映像データ」という。）に変換されて第２の監視カメラ３ｂの監視パケット処理部（以下「第２の監視パケット処理部」という。）３９へ送信される。かかる第２の監視圧縮映像データは第２の監視パケット処理部３９において、第２の監視カメラ３ｂのアドレス（以下「第２の監視アドレス」という。）および親機アドレスが付与されるとともに第２の監視圧縮映像データからパケット（以下「第２の監視映像パケット」という。）が生成される。かかる第２の監視映像パケットは、第４のモニタ信号と逆の経路を経由して親機パケット処理部６５へ送出され、当該親機パケット処理部６５において第２の監視映像パケットから第２の監視圧縮映像データが分離されて親機伸張回路６１へ送信される。かかる第２の監視圧縮映像データは親機伸張回路６１において伸張され、第２の監視映像信号として親機メモリ６２に格納される。かかる第２の監視映像信号が親機メモリ６２に格納されると、親機ＣＰＵ６３により親機モニタ制御回路６４が制御され、親機モニタ５２に第２の監視カメラが設置された付近の映像が出画される。
【００４０】
以下、順次親機モニタボタン５３を繰り返して押下すると、親機５から第１、第２の伝送路Ｌ１、Ｌ２を経由して第１、第２の子機カメラ１４，１４を起動するための電源が供給され、前述と同様にして、第１、第２のカメラ３ａ、３ｂで撮像された映像を映像信号としてそれぞれ親機メモリ６２に格納することができることから、居住者は親機モニタボタン５３の繰り返しの押下操作により第１、第２の子機カメラ１４、１４ｂが設置された付近の映像を親機モニタ５２に出画させることができる。
【００４１】
以上のように、本発明のテレビドアホン装置によれば、親機モニタ５２に第１のカメラ３４からの映像データを出画させ、かつ、不審者に対して威嚇音を放音しながら、第１、第２の子機カメラ１４、１４や第２のカメラ３４からの映像データを親機モニタ５２に出画させることができる。
【００４２】
なお、前述の実施例においては、親機モニタ５２に第１のカメラ３４からの映像データを出画させ、かつ、不審者に対して威嚇音を放音しながら、第１、第２の子機カメラ１４、１４や第２のカメラ３４からの映像データを出画させる場合について説明しているが、親機モニタ５２に第２のカメラ３４からの映像データを出画させ、かつ、不審者に対して威嚇音を放音しながら、第１、第２の子機カメラ１４、１４や第１のカメラ３４からの映像データを親機モニタ５２に出画させることができ、また、第１の増設親機７ａ若しくは第２の増設親機７ｂの増設親機モニタ７２に第１のカメラ３４からの映像データを出画させ、かつ、不審者に対して威嚇音を放音しながら、第１、第２の子機カメラ１４、１４や第２のカメラ３４からの映像データを第１の増設親機７ａ若しくは第２の増設親機７ｂの増設親機モニタ７２に出画させることができる。
［動作例３］
次に、親機５が設置された部屋に居る居住者（以下「第１の居住者」という。）が親機５を操作して、第１の増設親機７ａが設置された部屋に居る居住者（以下「第２の居住者」という。）と室内通話をした場合の動作について説明する。
【００４３】
先ず、第１の居住者が親機室内呼出ボタン５５を押下すると、デジタル化された呼出信号（以下「第１の増設親機呼出信号」という。）が親機パケット処理部６５へ送信され、当該親機パケット処理部６５おいて、親機アドレスおよび第１の増設親機７ａのアドレス（以下「第１の増設親機アドレス」という。）が付与されるとともに、第１の増設親機呼出信号からパケット（以下「第１の増設親機呼出パケット」という。）が生成される。かかる第１の増設親機呼出パケットは、親機ブリッジ６６、親機ＨＵＢスイッチ６７、第３の親機送受信回路５１ｃ、第３の伝送路Ｌ３、第１の増設親機送受信回路７１ａおよび第１の増設親機ブリッジ８６を介して第１の増設親機パケット処理部８５へ送出され、当該第１の増設親機パケット処理部８５において第１の増設親機呼出パケットから第１の増設親機呼出信号が分離されて第１の増設親機７ａの増設親機ＣＰＵ（以下「第１の増設親機ＣＰＵ」という。）８３へ送出される。
【００４４】
かかる第１の増設親機呼出信号が第１の増設親機ＣＰＵ８３で検出されると、第１の増設親機ＣＰＵ８３において呼出音が作成され、第１の増設親機７ａの増設親機コーデック（以下「第１の増設親機コーデック」という。）８０および第１の増設親機７ａの増設親機スピーカアンプ（以下「第１の増設親機スピーカアンプ」という。）７８を介して第１の増設親機７ａの増設親機スピーカ（以下「第１の増設親機スピーカ」という。）７６ｂへ送信される。これにより、第１の増設親機スピーカ７６ｂから呼出音が鳴動する。
【００４５】
ここで、第１の居住者の呼び出しに応答するため、第２の居住者が第１の増設親機７ａの増設親機通話ボタン（以下「第１の増設親機通話ボタン」という。）７４を押下すると、第３の伝送路Ｌ３を介して親機通話部５６と、第１の増設親機の増設親機通話部（以下「第１の増設親機通話部」という。）７６間に通話路が形成され、これにより、第１の居住者は次のようにして第２の居住者と通話することができる。
【００４６】
すなわち、親機マイク５６ａから入力される第１の居住者の音声は、前述の親機マイク５６ａから入力される音声と同様に、親機マイクアンプ５９で増幅され親機コーデック６０において音声データ（以下「第１の増設親機下り音声データ」という。）に変換されて親機パケット処理部６５へ送信される。かかる第１の増設親機下り音声データは親機パケット処理部６５において、前述の第１の増設親機呼出信号と同様に、親機アドレスおよび第１の増設親機アドレスが付与されるとともに第１の増設親機下り音声データからパケット（以下「第１の増設親機下り音声パケット」という。）が生成される。かかる第１の増設親機下り音声パケットは、第１の増設親機呼出パケットと同様の経路を経由して第１の増設親機パケット処理部８５へ送信され、当該第１の増設親機パケット処理部８５において第１の増設親機下り音声パケットから第１の増設親機下り音声データが分離されて第１の増設親機コーデック８０へ送信される。かかる第１の増設親機下り音声データは第１の増設親機コーデック８０においてアナログ音声信号に変換され、第１の増設親機７ａの増設親機スピーカアンプ（以下「第１の増設親機スピーカアンプ」という。）７８で増幅されて第１の増設親機７ａの増設親機スピーカ（以下「第１の増設親機スピーカ」という。）７６ｂへ送信される。これにより、第１の居住者の音声が第１の増設親機通話部５６から出力される。
【００４７】
次に、第１の増設親機７ａの増設親機マイク（以下「第１の増設親機マイク」という。）７６ａから入力された第２の居住者のアナログ音声信号は、第１の増設親機７ａの増設親機マイクアンプ（以下「第１の増設親機マイクアンプ」という。）５９により増幅され、第１の増設親機コーデック８０において音声データ（以下「第１の増設親機上り音声データ」という。）に変換されて第１の増設親機パケット処理部８５へ送信される。かかる第１の増設親機上り音声データは第１の増設親機パケット処理部８５において、第１の増設親機上り音声データからパケット（以下「第１の増設親機上り音声パケット」という。）が生成される。かかる第１の増設親機上り音声パケットは、第１の増設親機下り音声パケットと逆の経路を経由して親機パケット処理部６５へ送信され、当該親機パケット処理部６５において第１の増設親機上り音声パケットから第１の増設親機上り音声データが分離されて親機コーデック６０へ送信される。かかる第１の増設親機上り音声データは親機コーデック６０においてアナログ音声信号に変換され、親機スピーカアンプ５８で増幅されて親機スピーカ５６ｂへ送信される。これにより、第２の居住者の音声が親機通話部５６から出力される。
【００４８】
ここで、第１の居住者が親機モニタボタン５３を押下すると、モニタ信号（以下「第５のモニタ信号」という。）が親機ＣＰＵ６３へ送信され、かかる第５のモニタ信号が親機ＣＰＵ６３で検出されると、親機ＣＰＵ６３の制御により、親機５から第１の伝送路Ｌ１を介して第１の子機カメラ１４を起動するための電源が供給される。
【００４９】
これにより、第１の子機カメラ１４で第１の子機１ａが設置された玄関付近の映像が撮像され、撮像された映像信号（以下「第３の映像信号」という。）が、第１の子機圧縮回路１７において圧縮映像データ（以下「第３の子機圧縮映像データ」という。）に変換されて第１の子機パケット処理部１９へ送信される。かかる第３の子機圧縮映像データは第１の子機パケット処理部１９において、第１の子機アドレスおよび親機アドレスが付与されるとともに第３の子機圧縮映像データからパケット（以下「第３の子機映像パケット」という。）が生成される。かかる第３の子機映像パケットは、第２の子機映像パケットと同様の経路を経由して親機パケット処理部６５へ送出され、当該親機パケット処理部６５において第３の子機映像パケットから第３の子機圧縮映像データが分離されて親機伸張回路６１へ送信される。かかる第３の子機圧縮映像データは親機伸張回路６１において伸張され、第３の映像信号として親機メモリ６２に格納される。かかる第３の映像信号が親機メモリ６２に格納されると、親機ＣＰＵ６３により親機モニタ制御回路６４が制御され、親機モニタ５２に第１の子機１ａの周辺の映像が出画される。
【００５０】
以下、順次親機モニタボタン５３を繰り返して押下すると、前述と同様にして、親機５から第１、第２のカメラ３４、３４を起動するための電源が供給され、前述と同様にして、第１、第２のカメラ３４、３４で撮像された映像を映像信号としてそれぞれ親機メモリ６２に格納することができることから、第１の居住者は親機モニタボタン５３の繰り返しの押下操作により第１、第２の監視カメラ３ａ、３ｂが設置された付近の映像を親機モニタ５２に出画させることができる。
【００５１】
以上のように、本発明のテレビドアホン装置によれば、第１の居住者が第２の居住者と室内通話を継続しつつ、第１、第２の子機１ａ、１ｂや第１、第２の監視カメラ３ａ、３ｂからの映像データを親機モニタ５２に出画させることができる。
【００５２】
なお、前述の実施例においては、第１の居住者が第２の居住者と室内通話を継続しつつ、第１、第２の子機１ａ、１ｂや第１、第２の監視カメラ３ａ、３ｂからの映像データを親機モニタ５２に出画させる場合について説明しているが、第１の居住者と、第２の増設親機７ｂが設置された部屋に居る居住者（以下「第３の居住者」という。）とが室内通話を継続しつつ、第１、第２の子機１ａ、１ｂや第１、第２の監視カメラ３ａ、３ｂからの映像データを親機モニタ５２に出画させることができる。
［実施例２］
図３は、本発明の第２の実施例におけるテレビドアホン装置のシステム構成図、図４は同実施例における制御盤９のブロック図である。なお、これらの図において、図１および図２と共通する部分には同一の符号を付して詳細な説明を省略する。
【００５３】
図３において、本発明の第２の実施例におけるテレビドアホン装置は、図１に示す第２の増設親機７ｂに代えて制御盤９が設置されている。ここで、制御盤９は、第１１の伝送路Ｌ１１を介して第１の子機１ａに、第１２の伝送路Ｌ１２を介して第２の子機１ｂに、第１３の伝送路Ｌ１３を介して第１の監視カメラ３ａに、第１４の伝送路Ｌ１４を介して第２の監視カメラ３ｂに、第１５の伝送路Ｌ１５を介して親機５に、第１６の伝送路Ｌ１６を介して第１の増設親機７ａにそれぞれ接続され、第１の監視カメラ３ａには第１７の伝送路Ｌ１７を介して第２の監視カメラ３ｂが、親機５には第１８の伝送路Ｌ１８を介して第１の増設親機７ａが、第２の増設親機７ｂには第１９の伝送路Ｌ１９を介して第２の監視カメラ３ｂがそれぞれ接続されている。
【００５４】
制御盤９は、図４に示すように、他機器と接続し、パケットデータの交換をする第１〜第８の制御盤送受信回路９１ａ〜９１ｈと、制御盤の内部を制御する制御盤ＣＰＵ９２と、他機器から送信されたパケットで、送信先アドレスが自アドレスのパケットデータを制御データと圧縮映像データと音声データに分離し、またパケットを送信する際は送信先のアドレスを付加し、制御盤ＣＰＵ９２から出力される制御データをパケット化するパケット処理部（以下「制御盤パケット処理部」という。）９３と、自アドレス以外の受信パケットを他の制御盤送受信回路９１ａ〜９１ｈから送信する制御盤ブリッジ９４と、制御盤送受信回路９１ａ〜９１ｈ間でパケットのフォワーディングをする制御盤ＨＵＢスイッチ９５と、第１〜第８の防犯センサインターフエース（以下「Ｉ／Ｆ」という。）９６ａ〜９６ｈとを備えている。ここで、制御盤ＣＰＵ９２は、制御盤パケット処理部９３および第１〜第８の防犯センサＩ／Ｆ９６ａ〜９６ｈに接続され、制御盤パケット処理部９３には制御盤ブリッジ９４および制御盤ＨＵＢスイッチ９５を介して第１〜第８の制御盤送受信回路９１ａ〜９１ｈが接続されている。
【００５５】
この実施例においては、制御盤９に制御盤パケット処理部９３、制御盤ブリッジ９４および制御盤ＨＵＢスイッチ９５が搭載されていることから、第１の実施例と同様に、第１に、制御盤パケット処理部９３において、他機器から送信されたパケットで、送信先アドレスが自アドレスのパケットデータを制御データと圧縮映像データと音声データに分離し、またパケットを送信する際は送信先のアドレスを付加し、制御盤ＣＰＵ９２から出力される制御データをパケット化することができ、第２に、制御盤ブリッジ９４において、自アドレス以外の受信パケットを制御盤送受信回路９１ａ〜９１ｈから送信することができ、第３に、制御盤ＨＵＢスイッチ９５において、ポート間でパケットのフォワーディングをすることができる。
【産業上の利用可能性】
【００５６】
本発明は、特許請求の範囲内で、次のように、変更、修正を加えることができる。  
第１に、前述の実施例においては、第１、第２の子機１ａ、１ｂに２個の子機送受信回路が、第１、第２の監視カメラ３ａ、３ｂに３個の監視カメラ送受信回路が、親機５に６個の親機送受信回路が、第１、第２の増設親機監視カメラ７ａ、７ｂに３個の親機送受信回路が搭載された場合について述べているが、これらの送受信回路は装置の規模や各機器間の伝送路の接続態様により増減することができる。
【００５７】
第２に、前述の実施例においては、各機器にブリッジが搭載されているが、各機器間を伝送路でブリッジ接続しない場合は設けなくてもよい。
【００５８】
第３に、ＨＵＢスイッチの子機や増設親機に設けてもよい。
【図面の簡単な説明】
【００５９】
【図１】本発明の第１の実施例におけるテレビドアホン装置のシステム構成図。
【図２】本発明の第１の実施例におけるテレビドアホン装置のブロック図で、（ａ）は第１、第２の子機のブロック図、（ｂ）は第１、第２の監視カメラのブロック図、（ｃ）は親機のブロック図、（ｄ）は第１、第２の増設親機のブロック図。
【図３】本発明の第２の実施例におけるテレビドアホン装置のシステム構成図。
【図４】本発明の第２の実施例におけるテレビドアホン装置の制御盤のブロック図。
【符号の説明】
【００６０】
１ａ・・・第１の子機
１ｂ・・・第２の子機
１２・・・子機の通話部（子機通話部）
１４・・・カメラ
１９・・・パケット処理部（子機パケット処理部）
３ａ・・・監視カメラ（第１の監視カメラ）
３ｂ・・・監視カメラ（第２の監視カメラ）
３２・・・監視カメラの通話部（監視通話部）
３４・・・カメラ
３９・・・パケット処理部（監視パケット処理部）
５・・・親機
５２・・・モニタ（親機モニタ）
５６・・・親機の通話部（親機通話部）
６３・・・ＣＰＵ（親機ＣＰＵ）
６５・・・パケット処理部（親機パケット処理部）
７ａ・・・増設親機（第１の増設親機）
７ｂ・・・増設親機（第２の増設親機）
７２・・・モニタ（増設親機モニタ）
７６・・・増設親機の通話部（増設親機通話部）
８３・・・ＣＰＵ（増設親機ＣＰＵ）
８５・・・パケット処理部（増設親機パケット処理部）
【図１】
2006211372.tif 000003
【図２】
2006211372.tif 000004
【図３】
2006211372.tif 000005
【図４】
2006211372.tif 000006